(57)【要約】【課題】  どのようなユーザインターフェースであっても、音声のみならず音声を含むＤＣＦオブジェクトが画像に付与されていることを容易に認識できるようにする。【解決手段】  ＤＣＦオブジェクトと関連づけられた画像を含む複数の画像を格納するフォルダの階層ツリー構造を表示する第１の領域１０Ａ、階層構造において選択したフォルダに格納されている画像のサムネイル画像の一覧を表示する第２の領域１０Ｂを表示する。第２の領域に表示されたサムネイル画像に対応する画像がＤＣＦオブジェクトと関連づけられている場合に、ＤＣＦオブジェクトと関連づけられているサムネイル画像に関連する背景の少なくとも一部を、この背景の色とは異なる色に変更する。【選択図】          図５
2007034350.tif 000002
【特許請求の範囲】
【請求項１】
ＤＣＦオブジェクトと関連づけられた画像を含む複数の画像を格納するフォルダの階層ツリー構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースを表示するユーザインターフェース表示方法において、
前記第２の領域に表示されたサムネイル画像に対応する画像が前記ＤＣＦオブジェクトと関連づけられている場合に、該ＤＣＦオブジェクトと関連づけられているサムネイル画像に関連する背景の少なくとも一部を該背景の色とは異なる色に変更することを特徴とするユーザインターフェース表示方法。
【請求項２】
前記第２の領域に前記サムネイル画像に対応する画像のファイル名をさらに表示し、
前記背景の少なくとも一部として、前記ファイル名が表示されている部分を前記背景の色とは異なる色に変更することを特徴とする請求項１記載のユーザインターフェース表示方法。
【請求項３】
ＤＣＦオブジェクトと関連づけられた画像を含む複数の画像を格納するフォルダの階層構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースを表示するユーザインターフェース表示方法において、
前記第２の領域に表示される前記サムネイル画像に対応する画像が前記ＤＣＦオブジェクトと関連づけられている場合には、前記サムネイル画像に隣接させて前記ＤＣＦオブジェクトを表すサムネイル画像を表示し、
前記第２の領域において選択されたサムネイル画像に対応する画像が前記ＤＣＦオブジェクトと関連づけられている場合に、該選択されたサムネイル画像とともに、前記ＤＣＦオブジェクトを表すサムネイル画像を囲むように前記第３の領域を表示することを特徴とするユーザインターフェース表示方法。
【請求項４】
ＤＣＦオブジェクトと関連づけられた画像を含む複数の画像を格納するフォルダの階層ツリー構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースを表示するユーザインターフェース表示方法をコンピュータに実行させるためのプログラムにおいて、
前記第２の領域に表示されたサムネイル画像に対応する画像が前記ＤＣＦオブジェクトと関連づけられている場合に、該ＤＣＦオブジェクトと関連づけられているサムネイル画像に関連する背景の少なくとも一部を該背景の色とは異なる色に変更する手順を有することを特徴とするプログラム。
【請求項５】
ＤＣＦオブジェクトと関連づけられた画像を含む複数の画像を格納するフォルダの階層構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースを表示するユーザインターフェース表示方法をコンピュータに実行させるためのプログラムにおいて、
前記第２の領域に表示される前記サムネイル画像に対応する画像が前記ＤＣＦオブジェクトと関連づけられている場合には、前記サムネイル画像に隣接させて前記ＤＣＦオブジェクトを表すサムネイル画像を表示する手順と、
前記第２の領域において選択されたサムネイル画像に対応する画像が前記ＤＣＦオブジェクトと関連づけられている場合に、該選択されたサムネイル画像とともに、前記ＤＣＦオブジェクトを表すサムネイル画像を囲むように前記第３の領域を表示する手順を有することを特徴とするプログラム。
【請求項６】
ＤＣＦオブジェクトと関連づけられた画像を含む複数の画像を格納するフォルダの階層ツリー構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースにおいて、
前記第２の領域に表示されたサムネイル画像に対応する画像が前記ＤＣＦオブジェクトと関連づけられている場合に、該ＤＣＦオブジェクトと関連づけられているサムネイル画像に関連する背景の少なくとも一部が該背景の色とは異なる色に変更されてなることを特徴とするユーザインターフェース。
【請求項７】
ＤＣＦオブジェクトと関連づけられた画像を含む複数の画像を格納するフォルダの階層構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースにおいて、
前記第２の領域に表示される前記サムネイル画像に対応する画像が前記ＤＣＦオブジェクトと関連づけられている場合には、前記サムネイル画像に隣接させて前記ＤＣＦオブジェクトを表すサムネイル画像が表示され、
前記第２の領域において選択されたサムネイル画像に対応する画像が前記ＤＣＦオブジェクトと関連づけられている場合に、該選択されたサムネイル画像とともに、前記ＤＣＦオブジェクトを表すサムネイル画像を囲むように前記第３の領域が表示されることを特徴とするユーザインターフェース。
【発明の詳細な説明】
【技術分野】
【０００１】
本発明は画像を表示するためのユーザインターフェースを表示するユーザインターフェース表示方法、ユーザインターフェース表示方法をコンピュータに実行させるためのプログラム、およびユーザインターフェースに関するものである。
【背景技術】
【０００２】
デジタルカメラにより取得した画像をパソコンに取り込み、ビューアソフトやＯＳに付属のファイル管理ソフトを用いての画像の閲覧や加工が行われている。とくにパソコンに保存された画像のサムネイル画像の一覧を表示し、この一覧から所望とする画像を選択させるようにしたユーザインターフェースが用いられている。図１２は従来のユーザインターフェースを示す図である。図１２に示すように、従来のユーザインターフェースの画面３０は、画像を格納したフォルダの階層ツリー構造を表示する第１の領域３０Ａ、第１の領域３０Ａにおいて選択したフォルダに格納された画像のサムネイル画像の一覧を表示する第２の領域３０Ｂ、第２の領域３０Ｂに表示されたサムネイル画像のうち、選択されたサムネイル画像を取り囲む第３の領域３０Ｃ、および選択されたサムネイル画像に対応する画像を拡大表示する第４の領域３０Ｄを有するものとなっている。
【０００３】
ところで、デジタルカメラを用いての撮影時には、画像とともに音声を取り込むことができるようになっている。この場合、デジタルカメラの規格により、音声データには拡張子のみが異なる、画像のファイル名と同一のファイル名が付与され、同一の音声データを有する画像は、音声付きのオブジェクトとして定義されることとなっている。
【０００４】
このような音声付きのオブジェクトとして定義された画像について、上述したようなユーザインターフェースに表示する際に、音声付きのオブジェクトであることを明確にするために、例えばマイクやスピーカ等の音声付きであることを示すインジケータをサムネイル画像に付与する手法が提案されている（特許文献１参照）。このようにサムネイル画像に音声付きであることを示すインジケータを付与することにより、ユーザインターフェース上において、音声付きのオブジェクトを直ちに視認することが可能となる。
【特許文献１】特開平１１−３５５７０６号公報
【発明の開示】
【発明が解決しようとする課題】
【０００５】
しかしながら、図１３に示すように、サムネイル画像をさらに縮小するとともに、ファイル名、ファイル形式、撮影日時、ファイル容量等の情報を一列に並べて一覧表示するユーザインターフェースの場合、上記特許文献１に記載された手法によっては、音声付きであることを示すインジケータを表示することができないため、いずれの画像が音声付きであるかを認識することができない。また、デジタルカメラの規格においては、音声以外の例えばＣＣＤ−ＲＡＷデータ等のオブジェクトが定義されているが、特許文献１に記載の手法においては、音声以外のオブジェクトが付与されていることを示すことができない。
【０００６】
本発明は、上記事情に鑑みなされたものであり、どのようなユーザインターフェースであっても、音声のみならず音声以外のオブジェクトが画像に付与されていることを容易に認識できるようにすることを目的とする。
【課題を解決するための手段】
【０００７】
本発明による第１のユーザインターフェース表示方法は、ＤＣＦオブジェクトと関連づけられた画像を含む複数の画像を格納するフォルダの階層ツリー構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースを表示するユーザインターフェース表示方法において、
前記第２の領域に表示されたサムネイル画像に対応する画像が前記ＤＣＦオブジェクトと関連づけられている場合に、該ＤＣＦオブジェクトと関連づけられているサムネイル画像に関連する背景の少なくとも一部を該背景の色とは異なる色に変更することを特徴とするものである。
【０００８】
ここで上記図１２に示すように、サムネイル画像の一覧を表示する場合には、サムネイル画像を囲む矩形領域が表示される。この場合、この矩形領域を「サムネイル画像の関連する背景」とする。また、このような矩形領域が表示されない場合もあり、この場合は第２の領域を「サムネイル画像の関連する背景」とする。一方、図１３に示すように、サムネイル画像をさらに縮小するとともに、ファイル名、ファイル形式、撮影日時、ファイル容量等の情報を一列に並べて一覧表示した場合には、この列の全体または少なくとも一部を「サムネイル画像の関連する背景」とする。
【０００９】
なお、本発明による第１のユーザインターフェース表示方法においては、前記第２の領域に前記サムネイル画像に対応する画像のファイル名をさらに表示し、
前記背景の少なくとも一部として、前記ファイル名が表示されている部分を前記背景の色とは異なる色に変更するようにしてもよい。
【００１０】
本発明による第２のユーザインターフェース表示方法は、ＤＣＦオブジェクトと関連づけられた画像を含む複数の画像を格納するフォルダの階層構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースを表示するユーザインターフェース表示方法において、
前記第２の領域に表示される前記サムネイル画像に対応する画像が前記ＤＣＦオブジェクトと関連づけられている場合には、前記サムネイル画像に隣接させて前記ＤＣＦオブジェクトを表すサムネイル画像を表示し、
前記第２の領域において選択されたサムネイル画像に対応する画像が前記ＤＣＦオブジェクトと関連づけられている場合に、該選択されたサムネイル画像とともに、前記ＤＣＦオブジェクトを表すサムネイル画像を囲むように前記第３の領域を表示することを特徴とするものである。
【００１１】
なお、本発明による第１および第２のユーザインターフェース表示方法をコンピュータに実行させるためのプログラムとして提供してもよい。
【００１２】
本発明による第１のユーザインターフェースは、ＤＣＦオブジェクトと関連づけられた画像を含む複数の画像を格納するフォルダの階層ツリー構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースにおいて、
前記第２の領域に表示されたサムネイル画像に対応する画像が前記ＤＣＦオブジェクトと関連づけられている場合に、該ＤＣＦオブジェクトと関連づけられているサムネイル画像に関連する背景の少なくとも一部が該背景の色とは異なる色に変更されてなることを特徴とするものである。
【００１３】
本発明による第２のユーザインターフェースは、ＤＣＦオブジェクトと関連づけられた画像を含む複数の画像を格納するフォルダの階層構造を表示する第１の領域、前記階層構造において選択したフォルダに格納されている画像のサムネイル画像の一覧を表示する第２の領域、および該第２の領域において選択されたサムネイル画像を取り囲む第３の領域を有するユーザインターフェースにおいて、
前記第２の領域に表示される前記サムネイル画像に対応する画像が前記ＤＣＦオブジェクトと関連づけられている場合には、前記サムネイル画像に隣接させて前記ＤＣＦオブジェクトを表すサムネイル画像が表示され、
前記第２の領域において選択されたサムネイル画像に対応する画像が前記ＤＣＦオブジェクトと関連づけられている場合に、該選択されたサムネイル画像とともに、前記ＤＣＦオブジェクトを表すサムネイル画像を囲むように前記第３の領域が表示されることを特徴とするものである。
【発明の効果】
【００１４】
本発明の第１のユーザインターフェース表示方法および第１のユーザインターフェースによれば、サムネイル画像の一覧を表示する第２の領域に表示されたサムネイル画像に対応する画像がＤＣＦオブジェクトと関連づけられている場合に、ＤＣＦオブジェクトと関連づけられているサムネイル画像に関連する背景の少なくとも一部を、この背景の色とは異なる色に変更するようにしたものである。このため、インジケータを表示するための領域が不要となり、これにより、どのようなユーザインターフェースであっても、画像に音声等のＤＣＦオブジェクトが付与されていることを容易に認識することができる。
【００１５】
本発明の第２のユーザインターフェース表示方法および第２のユーザインターフェースによれば、サムネイル画像の一覧を表示する第２の領域において表示されるサムネイル画像に対応する画像にＤＣＦオブジェクトが関連づけられている場合には、サムネイル画像に隣接させてＤＣＦオブジェクトを表すサムネイル画像を表示し、第２の領域において選択されたサムネイル画像に対応する画像が、ＤＣＦオブジェクトと関連づけられている場合に、選択されたサムネイル画像とともにＤＣＦオブジェクトを表すサムネイル画像を取り囲むように第３の領域を表示するようにしたものである。このため、インジケータを表示するための領域が不要となり、これにより、どのようなユーザインターフェースであっても、画像に音声等のＤＣＦオブジェクトが付与されていることを容易に認識することができる。
【発明を実施するための最良の形態】
【００１６】
以下、図面を参照して本発明の実施形態について説明する。図１は本発明の第１の実施形態によるユーザインターフェース表示方法を実施するためのパソコンの外観図である。本発明の第１の実施形態によるユーザインターフェース表示方法は、例えば画像の閲覧や加工を行うためのビューアソフトやパソコンのＯＳに含まれるファイル管理ソフト等の態様で提供され、パソコンにインストールすることにより実行されるものである。図１に示すようにこのパソコンは、モニタ１、パソコン本体２、キーボードおよびマウス等の入力部３を備えている。また、必要に応じてプリンタ、外付けハードディスク等の関連機器も接続されている。
【００１７】
ここで、本実施形態においては、パソコン本体２のハードディスクには、画像を格納したフォルダが階層化されて作成されているものとする。
【００１８】
次いで、第１の実施形態において行われる処理について説明する。図２は本発明の第１の実施形態において行われる処理を示すフローチャートである。なお、ここでは、フォルダに格納された画像を拡大表示するまでの処理について説明する。
【００１９】
まず、ユーザがビューアソフト等を実行することにより処理が開始され、ユーザインターフェースの初期画面が表示される（ステップＳＴ１）。図３はユーザインターフェースの初期画面を示す図である。図３に示すようにユーザインターフェースの初期画面１０には、画像を格納したフォルダの階層ツリー構造を表示する第１の領域１０Ａ、および第１の領域１０Ａにおいて選択したフォルダに格納された画像のサムネイル画像の一覧を表示するための第２の領域１０Ｂが表示される。また、後述するように拡大画像を表示するための第４の領域１０Ｄも表示される。
【００２０】
次いで、第１の領域１０Ａにおいてフォルダが選択されたか否かの監視が開始され（ステップＳＴ２）、ステップＳＴ２が肯定されると、図４に示すように、選択されたフォルダ（ここでは０１フォルダの００１フォルダ）に格納されている画像のサムネイル画像の一覧が第２の領域１０Ｂに表示される（ステップＳＴ３）。なお、各サムネイル画像の下方にはファイル名が付与されている。さらに、選択されたフォルダに格納されている画像のうち、音声、ＣＣＤ−ＲＡＷデータ等のＤＣＦオブジェクトが付与されている画像のサムネイル画像の背景色における、ファイル名の部分の背景色が変更される（ステップＳＴ４）。なお、ここでは背景の色が変更された状態を斜線を付与することにより示している。
【００２１】
そして、ユーザにより、サムネイル画像の一覧においてユーザが所望するサムネイル画像が選択されたか否かの監視が開始され（ステップＳＴ５）、ステップＳＴ５が肯定されると、図５に示すように、選択されたサムネイル画像を取り囲む第３の領域１０Ｃが表示され（ステップＳＴ６）、さらに選択されたサムネイル画像に対応する画像の拡大画像が第４の領域１０Ｄに表示され（ステップＳＴ７）、処理を終了する。
【００２２】
このように、第１の実施形態においては、第２の領域１０Ｂにおいて選択されたサムネイル画像に対応する画像がＤＣＦオブジェクトと関連づけられている場合に、ＤＣＦオブジェクトと関連づけられているサムネイル画像に関連する背景の少なくとも一部（ここではファイル名の部分）をサムネイル画像に関連する背景の色とは異なる色に変更するようにしたものである。このため、上記特許文献１に記載された手法と比較して、インジケータを表示するための領域が不要となり、これにより、どのようなユーザインターフェースであっても、画像に音声等のＤＣＦオブジェクトが付与されていることを容易に認識することができる。
【００２３】
なお、上記第１の実施形態においては、選択したサムネイル画像のファイル名の背景色を変更しているが、サムネイル画像の背景の全体の色（すなわち第２の領域１０Ｂにおいて各サムネイル画像を囲んでいる矩形領域内の全体の色）を変更するようにしてもよい。
【００２４】
次いで、本発明の第２の実施形態について説明する。図６は本発明の第１の実施形態において行われる処理を示すフローチャートである。なお、ここでは、フォルダに格納された画像を拡大表示するまでの処理について説明する。また、第２の実施形態においては、ファイル名がＤＳＣＦ００２．ＪＰＧの画像に、ＣＣＤ−ＲＡＷデータおよび音声データの２つのＤＣＦオブジェクトが関連づけられているものとする。具体的には、ファイル名がＤＳＣＦ００２．ＲＡＧのＣＣＤ−ＲＡＷデータ、およびファイル名がＤＳＣＦ００２．ＷＡＶの音声データがＤＣＦオブジェクトとして関連づけられているものとする。
【００２５】
まず、ユーザがビューアソフトを実行することにより処理が開始され、上記第１の実施形態の図３と同様のユーザインターフェースの初期画面が表示される（ステップＳＴ１１）。次いで、第１の領域１０Ａにおいてフォルダが選択されたか否かの監視が開始され（ステップＳＴ１２）、ステップＳＴ１２が肯定されると、図７に示すように、選択されたフォルダ（ここでは０１フォルダの００１フォルダ）に格納されている画像のサムネイル画像の一覧が第２の領域１０Ｂに表示される（ステップＳＴ１３）。なお、各サムネイル画像の下方にはファイル名が付与されている。また、ファイル名がＤＳＣＦ００１．ＪＰＧのサムネイル画像とＤＳＣＦ００２．ＪＰＧのサムネイル画像との間には、ファイル名がＤＳＣＦ００２．ＪＰＧのサムネイル画像に隣接して、この画像に関連づけられているファイル名がＤＳＣＦ００２．ＲＡＧのＣＣＤ−ＲＡＷデータを表すサムネイル画像、およびファイル名がＤＳＣＦ００２．ＷＡＶの音声データを表すサムネイル画像が表示されている。
【００２６】
そして、ユーザにより、サムネイル画像の一覧においてユーザが所望するサムネイル画像が選択されたか否かの監視が開始され（ステップＳＴ１４）、ステップＳＴ１４が肯定されると、選択された画像に、ＤＣＦオブジェクトが付与されているか否かが判定される（ステップＳＴ１５）。ステップＳＴ１５が肯定されると、図８に示すように、選択されたサムネイル画像およびこれに関連づけられているＤＣＦオブジェクトのサムネイル画像を取り囲む第３の領域２０Ｃが表示される（ステップＳＴ１６）。
【００２７】
一方、ステップＳＴ１５が否定されると、選択されたサムネイル画像を取り囲む第３の領域２０Ｃが表示される（ステップＳＴ１７）。そして、選択されたサムネイル画像に対応する画像の拡大画像が第４の領域１０Ｄに表示され（ステップＳＴ１８）、処理を終了する。
【００２８】
このように、第２の実施形態においては、第２の領域１０Ｂにおいて表示されるサムネイル画像に対応する画像にＤＣＦオブジェクトが関連づけられている場合には、サムネイル画像に隣接させてＤＣＦオブジェクトを表すサムネイル画像を表示し、第２の領域１０Ｂにおいて選択されたサムネイル画像に対応する画像がＤＣＦオブジェクトと関連づけられている場合に、選択されたサムネイル画像とともにＤＣＦオブジェクトを表すサムネイル画像を取り囲むように第３の領域２０Ｃを表示するようにしたものである。このため、上記特許文献１に記載された手法と比較して、インジケータを表示するための領域が不要となり、これにより、どのようなユーザインターフェースであっても、画像に音声等のＤＣＦオブジェクトが付与されていることを容易に認識することができることとなる。
【００２９】
なお、上記実施形態において、上記図１３に示すように、サムネイル画像をさらに縮小するとともに、ファイル名、ファイル形式、撮影日時、およびファイル容量等の情報を一列に並べて一覧表示することも可能である。この場合、第１の実施形態においては、図９に示すようにＤＣＦオブジェクトと関連づけられているサムネイル画像を含む列の背景色における、ファイル名の部分の背景色のみを変更してもよく、図１０に示すように、ＤＣＦオブジェクトと関連づけられているサムネイル画像に対応する列の背景色の全体を変更するようにしてもよい。この場合であっても、ファイル名、ファイル形式、撮影日時およびファイル容量の少なくとも１つの部分の背景色のみを変更するようにしてもよい。
【００３０】
また、第２の実施形態の場合、図１１に示すように、ＤＣＦオブジェクトが関連づけられている画像については、ＤＣＦオブジェクトのサムネイル画像を表示するとともに、第３の領域２０Ｃにより、サムネイル画像およびＤＣＦオブジェクトのサムネイル画像を取り囲むようにすればよい。
【図面の簡単な説明】
【００３１】
【図１】本発明によるユーザインターフェース表示方法を実施するためのパソコンの外観図
【図２】本発明の第１の実施形態において行われる処理を示すフローチャート
【図３】ユーザインターフェースの初期画面を示す図
【図４】第１の実施形態においてファイル名の背景色が変更された状態を示す図（その１）
【図５】第１の実施形態において選択された画像が拡大表示された状態を示す図
【図６】本発明の第２の実施形態において行われる処理を示すフローチャート
【図７】第２の実施形態においてサムネイル画像の一覧が表示された画面を示す図
【図８】第２の実施形態においてサムネイル画像およびＤＣＦオブジェクトのサムネイル画像を取り囲む第３の領域が表示された状態を示す図（その１）
【図９】第１の実施形態においてファイル名の背景色が変更された状態を示す図（その２）
【図１０】第１の実施形態においてファイル名の背景色が変更された状態を示す図（その３）
【図１１】第２の実施形態においてサムネイル画像およびＤＣＦオブジェクトのサムネイル画像を取り囲む第３の領域が表示された状態を示す図（その２）
【図１２】従来のサムネイル画像の一覧が表示された画面を示す図（その１）
【図１３】従来のサムネイル画像の一覧が表示された画面を示す図（その２）
【符号の説明】
【００３２】
１    モニタ
２    パソコン本体
３    入力部
１０    初期画面
１０Ａ    第１の領域
１０Ｂ    第２の領域
１０Ｃ，２０Ｃ    第３の領域
１０Ｄ    第４の領域
【図１】
2007034350.tif 000003
【図２】
2007034350.tif 000004
【図３】
2007034350.tif 000005
【図４】
2007034350.tif 000006
【図５】
2007034350.tif 000007
【図６】
2007034350.tif 000008
【図７】
2007034350.tif 000009
【図８】
2007034350.tif 000010
【図９】
2007034350.tif 000011
【図１０】
2007034350.tif 000012
【図１１】
2007034350.tif 000013
【図１２】
2007034350.tif 000014
【図１３】
2007034350.tif 000015